(57)【特許請求の範囲】
【請求項１】
遊技盤が配設される本体枠に、出力部を前側に露出してスピーカが配設されると共に、該本体枠に対して開閉自在に支持されて閉鎖状態で前記スピーカの出力部を前側から覆う開閉部材に音放出口が開設された遊技機において、
前記本体枠に形成されて前側に開放する収容部と、
前記収容部の前面開口を閉塞するように該収容部の前端側に取付けられ、収容部との間にスピーカを収容するスピーカ収容室を画成する区画部材と、
前記区画部材に形成されて前方へ膨出し、前記スピーカの前端部が収容されると共に前後方向に貫通する開口部が設けられた取付部と、
前記開閉部材に、前記音放出口を囲繞して後方に延出するよう設けられた筒状の通路形成壁と、
前記通路形成壁における後端面に配設された弾性変形可能なシール材とを備え、
前記出力部が取付部の開口部から前側に露出するように該取付部に裏側からスピーカが取付けられた区画部材を前記収容部の前端側に取付けることで、出力部が開口部から前側に露出した状態でスピーカがスピーカ収容室に収容されると共に、
前記開閉部材を本体枠に対して閉鎖した状態で、前記シール材が前記スピーカの出力部を囲繞するように前記区画部材に弾力的に当接して出力部から音放出口までの空間を密閉するよう構成され、
前記本体枠における遊技盤より下側に位置する下枠体の左端部側に前記収容部が設けられると共に、該下枠体に対して前記開閉部材としての球受け皿が開閉自在に支持され、
前記本体枠が開閉自在に支持される固定枠の前面下部に、該固定枠に対して本体枠の閉鎖状態で、前記下枠体の下面が上面に重なる意匠板が配設され、
前記球受け皿が閉鎖状態とされた本体枠を固定枠に対して閉鎖した状態において、前記意匠板の前面に重なって該意匠板と下枠体との上下面間の隙間を覆う規制部が前記球受け皿の下面に設けられ、
前記下枠体の前面下部における前記球受け皿の右側に、該球受け皿と幅方向に並んで遊技球発射操作用のハンドルユニットが設けられ、
前記ハンドルユニットの根本を覆うハンドル飾りの下面に、前記球受け皿が閉鎖状態とされた本体枠を固定枠に対して閉鎖した状態において前記規制部と連なって前記隙間を覆う別の規制部を設けた
ことを特徴とする遊技機。
【請求項２】
遊技盤が配設される本体枠に、出力部を前側に露出してスピーカが配設されると共に、該本体枠に対して開閉自在に支持されて閉鎖状態で前記スピーカの出力部を前側から覆う開閉部材に音放出口が開設された遊技機において、
前記本体枠に形成されて前側に開放する収容部と、
前記収容部の前面開口を閉塞するように該収容部の前端側に取付けられ、収容部との間にスピーカを収容するスピーカ収容室を画成する区画部材と、
前記区画部材に形成されて前方へ膨出し、前記スピーカの前端部が収容されると共に前後方向に貫通する開口部が設けられた取付部と、
前記開閉部材に、前記音放出口を囲繞して後方に延出するよう設けられた筒状の通路形成壁と、
前記通路形成壁における後端面に配設された弾性変形可能なシール材とを備え、
前記出力部が取付部の開口部から前側に露出するように該取付部に裏側からスピーカが取付けられた区画部材を前記収容部の前端側に取付けることで、出力部が開口部から前側に露出した状態でスピーカがスピーカ収容室に収容されると共に、
前記開閉部材を本体枠に対して閉鎖した状態で、前記シール材が前記スピーカの出力部を囲繞するように前記区画部材に弾力的に当接して出力部から音放出口までの空間を密閉するよう構成され、
前記本体枠が開閉自在に支持される固定枠の前面側下部に設けられて本体枠の下方に位置し、該固定枠の左右方向の全長に亘って延在するように画成される空間と、
前記空間を画成する前壁に前後に貫通するよう形成されて該空間に連通する放音口と、
前記空間を画成するボックスカバーに設けられて該空間に連通し、前記固定枠に対して前記本体枠を閉成した閉鎖状態で前記スピーカ収容室に接続して該スピーカ収容室と空間とを連通するダクト部とを備える
ことを特徴とする遊技機。
【請求項３】
前記区画部材には、前記開口部の周縁から前側に突出する筒状の突出部が設けられ、前記開閉部材の閉鎖状態で該突出部の前端面に前記シール材の後端面が弾力的に当接するよう構成した請求項１または２記載の遊技機。
【発明の詳細な説明】
【技術分野】
【０００１】
この発明は、遊技盤が配設された本体枠にスピーカを設けた遊技機に関するものである。
【背景技術】
【０００２】
代表的な遊技機であるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。またパチンコ機では、前記遊技盤の盤面に画成した遊技領域の略中央位置に枠状の装飾部材(所謂センター役物)が配設されて、該装飾部材の開口から液晶式やドラム式等の図柄表示装置を臨ませ、この図柄表示装置で図柄組み合わせゲームやリーチ演出等の遊技演出を行なうよう構成されている。更にパチンコ機では、各種効果音を出力するスピーカを中枠に配設し、図柄表示装置で行なわれる遊技演出に合わせて各種効果音をスピーカから出力することで、遊技の臨場感や興趣を高めるようにしている(例えば、特許文献１参照)。
【先行技術文献】
【特許文献】
【０００３】
【特許文献１】特開２００５−６５７２２号公報
【発明の概要】
【発明が解決しようとする課題】
【０００４】
特許文献１に開示のパチンコ機のように中枠にスピーカを配設した構成では、該中枠の前側にヒンジを介して開閉自在に支持されて後方に開口する球受け皿を閉鎖した際に、スピーカの前側が球受け皿で覆われるようになっている。この構成では、球受け皿におけるスピーカの前側に対向する部位に音放出口を開設し、スピーカで発生した音を球受け皿の音放出口から前側に出力するよう構成される。
【０００５】
しかしながら、中枠に対して開閉自在に支持される球受け皿においては、ヒンジ部分に遊びがあるため、球受け皿を閉鎖した際に該球受け皿の後端面と中枠の対向面との間に隙間が生ずるのは避けられず、スピーカで発生した音が中枠と球受け皿との間に生じた隙間から外部に漏れてしまい、音放出口から出力される音量や音質が低下する問題が指摘される。
すなわち本発明は、従来の技術に係る遊技機に内在する前記問題に鑑み、これらを好適に解決するべく提案されたものであって、スピーカで発生した音を、音量や音質を低下することなく開閉部材の音放出口から出力し得る遊技機を提供することを目的とする。
【課題を解決するための手段】
【０００６】
前記課題を克服し、所期の目的を達成するため、本願の請求項１に係る発明は、
遊技盤(12)が配設される本体枠(13)に、出力部(18a)を前側に露出してスピーカ(18)が配設されると共に、該本体枠(13)に対して開閉自在に支持されて閉鎖状態で前記スピーカ(18)の出力部(18a)を前側から覆う開閉部材(36)に音放出口(44c)が開設された遊技機において、
前記本体枠(13)に形成されて前側に開放する収容部(33)と、
前記収容部(33)の前面開口を閉塞するように該収容部(33)の前端側に取付けられ、収容部(33)との間にスピーカ(18)を収容するスピーカ収容室(S2)を画成する区画部材(34)と、
前記区画部材(34)に形成されて前方へ膨出し、前記スピーカ(18)の前端部が収容されると共に前後方向に貫通する開口部(35a)が設けられた取付部(35)と、
前記開閉部材(36)に、前記音放出口(44c)を囲繞して後方に延出するよう設けられた筒状の通路形成壁(45a)と、
前記通路形成壁(45a)における後端面に配設された弾性変形可能なシール材(48)とを備え、
前記出力部(18a)が取付部(35)の開口部(35a)から前側に露出するように該取付部(35)に裏側からスピーカ(18)が取付けられた区画部材(34)を前記収容部(33)の前端側に取付けることで、出力部(18a)が開口部(35a)から前側に露出した状態でスピーカ(18)がスピーカ収容室(S2)に収容されると共に、
前記開閉部材(36)を本体枠(13)に対して閉鎖した状態で、前記シール材(48)が前記スピーカ(18)の出力部(18a)を囲繞するように前記区画部材(34)に弾力的に当接して出力部(18a)から音放出口(44c)までの空間を密閉するよう構成され、
前記本体枠(13)における遊技盤(12)より下側に位置する下枠体(13b)の左端部側に前記収容部(33)が設けられると共に、該下枠体(13b)に対して前記開閉部材としての球受け皿(36)が開閉自在に支持され、
前記本体枠(13)が開閉自在に支持される固定枠(11)の前面下部に、該固定枠(11)に対して本体枠(13)の閉鎖状態で、前記下枠体(13b)の下面が上面に重なる意匠板(15)が配設され、
前記球受け皿(36)が閉鎖状態とされた本体枠(13)を固定枠(11)に対して閉鎖した状態において、前記意匠板(15)の前面に重なって該意匠板(15)と下枠体(13b)との上下面間の隙間を覆う規制部(49)が前記球受け皿(36)の下面に設けられ、
前記下枠体(13b)の前面下部における前記球受け皿(36)の右側に、該球受け皿(36)と幅方向に並んで遊技球発射操作用のハンドルユニット(20)が設けられ、
前記ハンドルユニット(20)の根本を覆うハンドル飾り(66)の下面に、前記球受け皿(36)が閉鎖状態とされた本体枠(13)を固定枠(11)に対して閉鎖した状態において前記規制部(49)と連なって前記隙間を覆う別の規制部(75)を設けたことを要旨とする。
請求項１に係る発明によれば、開閉部材を閉鎖した状態でスピーカにおける出力部から音放出口までの空間を密閉することができるので、該出力部で発生した音が音放出口以外の外部に漏れるのを防いで、音放出口から出力される音量や音質の低下を防止し得る。また、スピーカの出力部を前後で確実に仕切り、出力部の背面から出る音の影響によって音放出口から出力される音量や音質が低下するのを防止し得る。更に、球受け皿の下面およびハンドル飾りの下面に、固定枠に対する本体枠の閉鎖状態で意匠板の前面に重なって下枠体と意匠板との隙間を覆う規制部および別の規制部を設けたから、異物を侵入させるのを簡単な構成で確実に防止し得る。
【０００７】
前記課題を克服し、所期の目的を達成するため、本願の請求項２に係る発明は、
遊技盤(12)が配設される本体枠(13)に、出力部(18a)を前側に露出してスピーカ(18)が配設されると共に、該本体枠(13)に対して開閉自在に支持されて閉鎖状態で前記スピーカ(18)の出力部(18a)を前側から覆う開閉部材(36)に音放出口(44c)が開設された遊技機において、
前記本体枠(13)に形成されて前側に開放する収容部(33)と、
前記収容部(33)の前面開口を閉塞するように該収容部(33)の前端側に取付けられ、収容部(33)との間にスピーカ(18)を収容するスピーカ収容室(S2)を画成する区画部材(34)と、
前記区画部材(34)に形成されて前方へ膨出し、前記スピーカ(18)の前端部が収容されると共に前後方向に貫通する開口部(35a)が設けられた取付部(35)と、
前記開閉部材(36)に、前記音放出口(44c)を囲繞して後方に延出するよう設けられた筒状の通路形成壁(45a)と、
前記通路形成壁(45a)における後端面に配設された弾性変形可能なシール材(48)とを備え、
前記出力部(18a)が取付部(35)の開口部(35a)から前側に露出するように該取付部(35)に裏側からスピーカ(18)が取付けられた区画部材(34)を前記収容部(33)の前端側に取付けることで、出力部(18a)が開口部(35a)から前側に露出した状態でスピーカ(18)がスピーカ収容室(S2)に収容されると共に、
前記開閉部材(36)を本体枠(13)に対して閉鎖した状態で、前記シール材(48)が前記スピーカ(18)の出力部(18a)を囲繞するように前記区画部材(34)に弾力的に当接して出力部(18a)から音放出口(44c)までの空間を密閉するよう構成され、
前記本体枠(13)が開閉自在に支持される固定枠(11)の前面側下部に設けられて本体枠(13)の下方に位置し、該固定枠(11)の左右方向の全長に亘って延在するように画成される空間(S1)と、
前記空間(S1)を画成する前壁(15a)に前後に貫通するよう形成されて該空間(S1)に連通する放音口(15c)と、
前記空間(S1)を画成するボックスカバー(16)に設けられて該空間(S1)に連通し、前記固定枠(11)に対して前記本体枠(13)を閉成した閉鎖状態で前記スピーカ収容室(S2)に接続して該スピーカ収容室(S2)と空間(S1)とを連通するダクト部(16a)とを備えることを要旨とする。
請求項２に係る発明によれば、開閉部材を閉鎖した状態でスピーカにおける出力部から音放出口までの空間を密閉することができるので、該出力部で発生した音が音放出口以外の外部に漏れるのを防いで、音放出口から出力される音量や音質の低下を防止し得る。また、スピーカの出力部を前後で確実に仕切り、出力部の背面から出る音の影響によって音放出口から出力される音量や音質が低下するのを防止し得る。
【０００８】
請求項３に係る発明では、前記区画部材(34)には、前記開口部(35a)の周縁から前側に突出する筒状の突出部(35b)が設けられ、前記開閉部材(36)の閉鎖状態で該突出部(35b)の前端面に前記シール材(48)の後端面が弾力的に当接するよう構成したことを要旨とする。
請求項３に係る発明によれば、スピーカの出力部が前側に露出する開口部を囲繞する突出部にシール材を当接することで、出力部の周囲を確実に密閉し得る。
【発明の効果】
【００１０】
本発明に係る遊技機によれば、開閉部材の音放出口から出力される音量や音質の低下を防止することができる。
【図面の簡単な説明】
【００１１】
【図１】本発明の好適な実施例に係るパチンコ機を示す正面図である。
【図２】実施例に係るパチンコ機を、中枠に対して前枠および下球受け皿を開放した状態を示す斜視図である。
【図３】実施例に係る中枠に対して下球受け皿を開放した状態でスピーカの設置部分を示す要部斜視図である。
【図４】実施例に係るパチンコ機の横断平面図である。
【図５】(ａ)は実施例に係るパチンコ機の要部縦断側面図であって、(ｂ)は(ａ)におけるＡ部の拡大図である。
【図６】実施例に係るパチンコ機におけるスピーカの設置部分を示す要部横断平面図である。
【図７】実施例に係る下球受け皿の要部背面図である。
【図８】実施例に係るスピーカの出力部と音放出口と膨出部との関係を示す説明図であって、(ａ)は前側から視た図であり、(ｂ)は左側から視た図であり、(ｃ)は上側から視た図である。
【図９】実施例に係るパチンコ機におけるハンドルユニットの設置部分を示す要部横断平面図である。
【図１０】実施例に係るハンドルユニット、筒状支持手段およびハンドル飾りを分解して示す斜視図である。
【図１１】実施例に係るハンドルユニット、筒状支持手段およびハンドル飾りを組付け状態で示す縦断正面図である。
【図１２】実施例に係るハンドル飾りの背面図である。
【図１３】(ａ)は実施例に係るパチンコ機の要部を示す右側面図であって、(ｂ)は(ａ)におけるＢ部の拡大図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機について)
実施例に係るパチンコ機１０は、図１または図２に示すように、前後に開口する矩形枠状に形成されて遊技店の設置枠台に固定される固定枠としての外枠１１と、該外枠１１に対して開閉および着脱が可能に支持されて遊技盤１２を着脱可能に保持する本体枠としての中枠１３と、該中枠１３の前側に開閉および着脱が可能に支持されてパチンコ機前面を装飾すると共に遊技盤１２を透視保護する装飾枠としての前枠１４とを基本的に備える。
【００１４】
(外枠について)
前記外枠１１は、図２に示すように、上縁を構成する上枠材１１ａと、下縁を構成する下枠材１１ｂと、左縁を構成する左枠材１１ｃと、右縁を構成する右枠材１１ｄとを相互に連結固定することで矩形枠状に形成される。下枠材１１ｂには、左枠材１１ｃの前端面から右枠材１１ｄの前端面まで延在する横長矩形状に形成されて後方へ開口する箱状に形成された意匠板(第１の部材)１５が配設されている。意匠板１５の前縁を構成する前壁１５ａの前面には、パチンコ機１０のモチーフに応じた装飾が施されて当該パチンコ機１０の装飾性を向上するようになっている。
【００１５】
前記意匠板１５の裏側に、左右の枠材１１ｃ,１１ｄ間に亘って延在するボックスカバー１６が配設され、図５に示す如く、該ボックスカバー１６と意匠板１５との間に、外枠１１の左右方向の略全長に亘って延在する空間Ｓ１を画成するよう構成される。ボックスカバー１６には、空間Ｓ１に連通すると共に意匠板１５の上縁を構成する上壁１５ｂの上面から上方へ突出するダクト部１６ａが突設され、該ダクト部１６ａの前方に開口する接続口(図示せず)に、中枠１３を外枠１１に対して閉成した閉鎖状態で該中枠１３に形成した後述のスピーカ収容室Ｓ２の接続口が接続し、ダクト部１６ａを介してスピーカ収容室Ｓ２と空間Ｓ１とが連通するよう構成される。また意匠板１５における前壁１５ａには、ダクト部１６ａから右方に離間した位置に、前記空間Ｓ１に連通する下部放音口１５ｃが前後に貫通するよう形成されている(図１および図２参照)。
【００１６】
前記意匠板１５における上壁１５ｂの上面には、左右方向に離間して複数の傾斜案内部１７が突設されている。各傾斜案内部１７の上面には、図５に示す如く、後方へ向けて上方傾斜し、中枠１３を閉成する過程で中枠１３の下端部(具体的には下枠体１３ｂ)が接触する傾斜面部１７ａと、該傾斜面部１７ａの傾斜後端に連接して前後方向に水平に延在し、中枠１３を完全に閉成した閉鎖状態とした際に、当該中枠１３の下端部を支持する支持面部１７ｂとを備えている。すなわち、中枠１３を閉成する過程で該中枠１３の下端部が傾斜面部１７ａに接触し、中枠１３を更に閉成することで、中枠１３の下端部が傾斜面部１７ａに沿って乗り上げて、最終的に支持面部１７ｂで支持されるようになっている。そして、外枠１１に対して中枠１３の閉鎖状態では、中枠１３の下面と意匠板１５における上壁１５ｂの上面とが上下に重なるように対向すると共に、該中枠１３の下面が複数の傾斜案内部１７の支持面部１７ｂで支持される。
【００１７】
前記意匠板１５の上壁１５ｂにおける後端には、図５(ａ)に示す如く、上方に立上がった後に前方に突出する庇状部１５ｄが、左右方向の略全長に亘って形成されている。該庇状部１５ｄの高さ寸法は、前記傾斜案内部１７における支持面部１７ｂの高さより高く設定されており、外枠１１に対する中枠１３の閉鎖状態で、該中枠１３の下部後面(下枠体１３ｂの後面)が庇状部１５ｄの前端に当接して、意匠板１５の上方空間を左右方向の略全長に亘って上下方向で遮断するよう構成される。
【００１８】
(中枠について)
前記中枠１３は、図２に示す如く、上側縁をなす上枠体１３ａと、下側縁をなし、スピーカ１８、打球発射装置１９および打球発射装置１９を操作するためのハンドルユニット(ハンドル)２０等の各種遊技部品を設置する設置部材として機能する合成樹脂製の下枠体１３ｂと、左側縁をなす左枠体１３ｃと、右側縁をなす右枠体１３ｄとから略矩形状に形成されて、全体が前記外枠１１における意匠板１５より上方の開口前面に整合する矩形枠状サイズに形成される。そして外枠１１に対して中枠１３は、互いの正面左側上下に配設された第１ヒンジ機構２１,２１で横開き開閉および着脱が可能に取付けられ、正面右側に設けられた、パチンコ機１０で一般的に使用されている「ダブル錠型式」の施錠装置２２を利用して常には外枠１１と係合された閉鎖状態に保持される。中枠１３には、４つの枠体１３ａ,１３ｂ,１３ｃ,１３ｄにより前後に開口する遊技盤保持部２３が画成され、左枠体１３ｃに配設された上下の係合金具２４,２４と、上下の枠体１３ａ,１３ｂの右端部に設けたロック部材２５,２５とを利用して、遊技盤１２が遊技盤保持部２３に着脱可能にセット保持される。なお、中枠１３は、上下・左右の枠体を一体で形成したものであってもよい。なお、図１,図２において、遊技盤１２の前面に配設されている各種の遊技部品は、後述する案内レール２６および盤面飾り部材２７を除いて図示省略してある。
【００１９】
(遊技盤について)
前記遊技盤１２は、合板等の木製板部材の表面にセル板を配設したもの、あるいはアクリル板等の透明な合成樹脂製等からなる平板状の板部材で構成される。遊技盤１２の前面には、円弧状に形成した案内レール２６と盤面飾り部材２７とにより遊技領域１２ａが略円形状に画成され(図２参照)、前記中枠１３に配設された打球発射装置１９から発射されたパチンコ球が遊技領域１２ａ内に打ち出され、該遊技領域１２ａ内をパチンコ球が流下して遊技が行なわれる。また遊技盤１２の前面には、図示しないが、遊技領域１２ａ内に枠状装飾部材、パチンコ球が入賞可能な始動入賞装置、特別入賞装置、普通入賞装置等の各種入賞装置および多数本の遊技釘や風車等の各種遊技部品が配設されている。遊技盤１２の裏側には、図柄表示装置２８(図１参照)、可動演出装置および発光装置等の各種の遊技部品が配設される合成樹脂材で形成された裏設置部材(図示せず)が配設される。そして、裏設置部材に形成された前後に開口する開口部および枠状装飾部材に形成した窓口を介して図柄表示装置２８の表示部を前面側から視認し得るよう構成されている。なお、図柄表示装置２８の表示部は、図１に示す如く、遊技領域１２ａの略中央に位置して、パチンコ機１０の正面に座って遊技を行なう平均的な体格の遊技者の顔に略正対して、良好な視認性が得られるようになっている。
【００２０】
前記始動入賞装置は、遊技領域１２ａを流下するパチンコ球が入賞可能な始動入賞口が設けられ、該始動入賞口へ入賞したパチンコ球が始動入賞センサ(図示せず)で検出されることで、図柄表示装置２８の表示部で図柄変動が開始されると共に、所定数(例えば５個)のパチンコ球が賞球として後述する上下の球受け皿３０,３６に払い出される。また、前記特別入賞装置は、入賞口が開閉扉で常には閉鎖されており、前記図柄表示装置２８での図柄変動の結果、図柄表示装置２８に所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得るようになっている。
【００２１】
(前枠について)
前記中枠１３の前面側には、前記遊技盤１２を透視保護するガラス板１４ａを備えた前記前枠１４が、互いの正面左側上下に配設された第２ヒンジ機構２９,２９で横開き開閉および着脱が可能に取付けられ、正面右側に設けられた前記施錠装置２２を利用して常には中枠１３の前面を覆う閉鎖状態に保持される。ガラス板１４ａは、遊技盤１２における前記遊技領域１２ａの全体を前側から視認可能な領域に亘って配設されており、該ガラス板１４ａを介して遊技領域１２ａが視認可能な領域が可視部となっている。また、前枠１４におけるガラス板１４ａより下側位置に、パチンコ球を貯留する上球受け皿３０が一体的に組付けられており、前枠１４の開閉に合わせて上球受け皿３０も一体的に開閉するよう構成される。なお、ダブル錠と称される前記施錠装置２２は、一方側への解錠操作によって外枠１１に対する中枠１３の施錠が解除され、他方側への解錠操作によって中枠１３に対する前枠１４の施錠が解除されるように構成されたものである。
【００２２】
図２に示すように、前記前枠１４の裏側における前記上球受け皿３０の球出口(図示せず)に対応する位置には、中枠１３の裏側に設けた発射制御装置(図示せず)に電気的に接続する球送り装置３１が配設されており、発射制御装置の制御に基づいて、上球受け皿３０に貯留したパチンコ球を打球発射装置１９の打球発射位置に１球ずつ送出するよう構成されている。
【００２３】
(スピーカについて)
図２に示すように、前記下枠体１３ｂの左下端部に、スピーカ１８が収容される箱状部(スピーカ設置部)３２が設けられている。箱状部３２は、図４または図５に示すように、下枠体１３ｂと一体形成されて前方に開放する収容部本体(収容部)３３と、該収容部本体３３の開口前端側に配設されて収容部本体３３の前方開口を閉塞する蓋体(区画部材)３４とから構成され、該収容部本体３３と蓋体３４との間に、スピーカ１８を収容するスピーカ収容室Ｓ２が画成される。また蓋体３４には、スピーカ１８を取付ける取付部３５が前方へ膨出するよう形成され、該取付部３５に開設した出力孔(開口部)３５ａを介して出力部１８ａが前面側に露出するようスピーカ１８が蓋体３４の裏側にネジ止めされる。すなわち、スピーカ１８を取付けた蓋体３４を前記収容部本体３３にネジ止めすることで、スピーカ１８が(出力部１８ａ)を露出した状態で箱状部３２内に収容される。この状態でスピーカ１８は、出力部１８ａが真っ直ぐ前を向く姿勢に保持される。すなわち、実施例では、スピーカ１８の前縁(出力部１８ａを画成する外周縁)が遊技盤１２の盤面と平行な平面上に位置して、該平面に対して直交する方向に出力部１８ａが向いている。なお、前記中枠１３に配設されるスピーカ１８は、中低音出力用のスピーカである。
【００２４】
前記取付部３５の前面には、図３に示す如く、出力孔３５ａの周縁から前側に突出する筒状の突出部３５ｂが設けられ、該突出部３５ｂの前端面に、後述する下球受け皿３６に設けたシール材４８が当接し得るようになっている。また、前記収容部本体３３の一部には、スピーカ収容室Ｓ２内に開口する接続口(図示せず)が後方に向けて開設されており、該接続口を介してスピーカ収容室Ｓ２の一部が機裏側に開放するようになっている。そして、前記接続口に、外枠１１に対する中枠１３の閉鎖状態で、前記ボックスカバー１６に設けたダクト部１６ａの接続口が接続する。なお実施例では、前記空間Ｓ１の容積がスピーカ収容室Ｓ２の容積以上に設定されて、スピーカ１８の背面側から出力されてスピーカ収容室Ｓ２からダクト部１６ａを通って空間Ｓ１に伝播する音の低音域を効果的に増幅し得るようになっている。
【００２５】
(下球受け皿について)
前記中枠１３には、図１または図２に示す如く、前記前枠１４の下方に、上球受け皿３０の貯留量を超えたパチンコ球を貯留する下球受け皿(開閉部材,被覆部材)３６が、互いの正面左側上下に配設された第３ヒンジ機構３７,３７で横開き開閉および着脱が可能に取付けられ、正面右側に設けられた球皿施錠装置３８を利用して常には中枠１３(下枠体１３ｂ)の前面下部を覆う閉鎖状態に保持される。
【００２６】
前記下球受け皿３６は、図４に示す如く、この構造体の基板となるあて板３９と、該あて板３９の前側に配設されて、パチンコ球を貯留する受皿部４０を形成した外郭カバー体４１などを基本的な構造部材とし、該下球受け皿３６に貯留されたパチンコ球を球箱等に排出させるための球抜き装置(図示せず)など種々の機構装置が装備されて構成される。下球受け皿３６の左端部に、前記第３ヒンジ機構３７が配設され、下球受け皿３６は、左端部側を支点として中枠１３に対して開閉するよう構成される。また、あて板３９の背面左端部に、前記球皿施錠装置３８を構成する係合部３８ａが設けられ、下枠体１３ｂに設けた球皿施錠装置３８を構成する施錠具３８ｂに該係合部３８ａが係合することで、下球受け皿３６は中枠１３に対して閉鎖状態に保持される。
【００２７】
前記外郭カバー体４１は、後方に開口する横長箱状の基体部４２と、該基体部４２の前面から前方に張り出すように膨出する膨出部４３とを備え、基体部４２と膨出部４３との間に、上方に開口する受皿部４０が凹設されている。基体部４２には、受皿部４０の後面を画成する壁部に、前後方向に貫通する球皿通入口４２ｃを内部画成した筒状部４２ｄが後方に向けて延在するよう形成され、該筒状部４２ｄの後端部が、前記あて板３９に形成された貫通孔３９ａから後方に延出している(図４参照)。筒状部４２ｄは、下球受け皿３６の閉鎖状態において中枠１３の下枠体１３ｂに設けた球出口１３ｅと球皿通入口４２ｃとが位置整合するように位置決めされており、前記上球受け皿３０の貯留量を超えたパチンコ球は、球出口１３ｅおよび球皿通入口４２ｃを通って受皿部４０に排出されるようになっている。
【００２８】
前記膨出部４３は、図４に示す如く、基体部４２の左端より右側に所定長さ離間した位置から右端部近傍までの間において、基体部４２の前面から前方に膨出するように設けられており、該膨出部４３の左端から基体部４２の左端の間における基体部４２の前壁部４４は、膨出部４３の前端から所要長さだけ後方に位置している。そして、この基体部４２の前壁部４４で、下球受け皿３６の閉鎖状態において前記スピーカ１８における出力部１８ａの前方を前側から覆うようになっている。出力部１８ａを覆う前壁部４４は、図８(ａ)に示す如く、該前壁部４４の正面視において左上方から右下方に向けて斜めに横切る稜線Ｔを境として右上側に位置する第１傾斜面部４４ａと左下側に位置する第２傾斜面部４４ｂとで構成される。そして、第１傾斜面部４４ａが、スピーカ１８の出力部１８ａにおける右上側部分の前方に臨む一方、第２傾斜面部４４ｂが該出力部１８ａにおける左下側部分の前方に臨んでいる。
【００２９】
前記第１傾斜面部４４ａは、前記稜線Ｔから右上側に向けて後方傾斜しており、該第１傾斜面部４４ａは、左右方向においてパチンコ機１０の左右方向の中央側を向くと共に、上下方向において前記前枠１４のガラス板(可視部)１４ａ側を向いている。すなわち、第１傾斜面部４４ａは、パチンコ機１０の下部左側からガラス板(可視部)１４ａの正面中央側を向くよう右斜め上向きの傾斜面とされている。これに対し、前記第２傾斜面部４４ｂは、前記稜線Ｔから左下側に向けて後方傾斜しており、該第２傾斜面部４４ｂは、左右方向においてパチンコ機１０の左端側を向くと共に、上下方向において前記ガラス板(可視部)１４ａから離間する側を向いている。すなわち、第２傾斜面部４４ｂは、前記ガラス板(可視部)１４ａの正面中央側から離間する方向を向くよう左斜め下向きの傾斜面とされており、該第２傾斜面部４４ｂにおける裏面(スピーカ１８の出力部１８ａと対向する面)においても、第１傾斜面部４４ａとの境界線(稜線Ｔの裏側で対応する線)から左下側に向けて後方傾斜している。
【００３０】
前記第１傾斜面部４４ａに、前記スピーカ１８の出力部１８ａから出力された音を外部に放出する音放出口４４ｃが開設されている。この音放出口４４ｃは、第１傾斜面部４４ａの傾斜に対応して、左右方向においてパチンコ機１０の左右方向の中央側を向く(図８(ｃ)参照)と共に、上下方向において前記ガラス板(可視部)１４ａ側を向いて(図８(ｂ)参照)開口している。すなわち、第１傾斜面部４４ａに開設された音放出口４４ｃは、パチンコ機１０の下部左側からガラス板(可視部)１４ａの正面中央側を向くように開口する。なお、実施例では音放出口４４ｃの下部側の一部が第２傾斜面部４４ｂ側でも開口するように形成されている(図８(ａ)参照)。
【００３１】
前記基体部４２における前記前壁部４４の裏面に、通路形成部材４５が配設される。この通路形成部材４５は、図３,図５または図７に示す如く、筒状に形成された通路形成壁４５ａと、該通路形成壁４５ａの前開口を覆うように形成された前壁４６と、通路形成壁４５ａから外方に延在するフランジ部４５ｂとを備える。また前壁４６は、前記前壁部４４の第１傾斜面部４４ａおよび第２傾斜面部４４ｂに倣うように傾斜する第１傾斜面４６ａおよび第２傾斜面(傾斜面)４６ｂが形成されており、前記フランジ部４５ｂを前壁部４４の裏側にネジ止めすることで、各傾斜面４６ａ,４６ｂが対応する傾斜面部４４ａ,４４ｂの裏面に対向した状態で、通路形成部材４５が基体部４２に固定され、前記音放出口４４ｃの後方は通路形成壁４５ａで囲繞されるようになっている。通路形成部材４５は、図５および図６に示す如く、前記中枠１３に対する下球受け皿３６の閉鎖状態で、下球受け皿３６の前壁部４４と中枠１３に配設したスピーカ１８の出力部１８ａとの間に位置し、該出力部１８ａが前壁４６と対向するよう構成される。
【００３２】
また、前記通路形成部材４５の第１傾斜面４６ａに、前記音放出口４４ｃと対応して前記ガラス板(可視部)１４ａの正面中央側を向く向きで内外方向に貫通する音放出口４６ｃが開設されている。この通路形成部材４５の音放出口４６ｃは、前記前壁部４４の音放出口４４ｃと略同一形状・寸法で形成されており、該音放出口４６ｃが、前記スピーカ１８の出力部１８ａの右上側部分の前方に臨んでいる。前記音放出口４６ｃ,４４ｃに対して前記ガラス板(可視部)１４ａから離間して位置する第２傾斜面４６ｂは、該ガラス板(可視部)１４ａから離間する左下部側に向けて後方傾斜するよう形成されており、スピーカ１８の出力部１８ａから出力されて第２傾斜面４６ｂに向かう音は、該第２傾斜面４６ｂで音放出口４６ｃ,４４ｃに向けて反射するよう構成される(図８(ｂ),(ｃ)参照)。すなわち、スピーカ１８の出力部１８ａから出力された音は、一部が前後に重なっている２つの音放出口４６ｃ,４４ｃから直接外部に放出される一方で、一部が第２傾斜面４６ｂで反射した後に音放出口４６ｃ,４４ｃから外部に放出されるようになっている。そして、第２傾斜面４６ｂで反射して音放出口４６ｃ,４４ｃから放出された音が、概ね前記ガラス板(可視部)１４ａの正面中央側に向かい、パチンコ機１０の正面に座って遊技を行なう平均的な体格の遊技者が音を聞き取り易くなっている。
【００３３】
なお、第１傾斜面部４４ａと第１傾斜面４６ａとの間には、前壁部４４と前壁４６とで挟持されたメッシュ部材４７が、音放出口４６ｃ,４４ｃの全体を覆うように配設される。このメッシュ部材４７は、音放出口４６ｃ,４４ｃからの音の放出を阻害することなく、外部からの異物挿入を阻止し得る目の粗さに設定されている。
【００３４】
前記通路形成壁４５ａにおける後端面に、図３に示す如く、所要厚みで弾性変形可能なシール材４８が配設されている。該シール材４８は、図５および図６に示す如く、前記蓋体３４に設けた突出部３５ｂと同径の環状に形成され、前記中枠１３に対する下球受け皿３６の閉鎖状態で、該シール材４８の後端面が、突出部３５ｂの前端面の全体に弾力的に当接して中枠１３と下球受け皿３６との間を密閉可能に構成される。すなわち、中枠１３に対する下球受け皿３６の閉鎖状態でスピーカ１８の出力部１８ａは、通路形成壁４５ａと突出部３５ｂとで囲まれた空間に臨んで、該出力部１８ａから出力される音を、前記音放出口４６ｃ,４４ｃから効率的に放出し得るようになっている。またシール材４８の厚み(前後寸法)は、シール材４８が突出部３５ｂに当接した際に、該シール材４８が圧縮変形して突出部３５ｂの前面のみならず外周面側にも当接する寸法に設定されており、シール材４８が突出部３５ｂに対して広い範囲で密着して音漏れを確実に防止し得るよう構成してある。前記シール材４８としては、スポンジが好適に用いられるが、その他の弾性変形可能な発泡体等であってもよい。
【００３５】
前記下球受け皿３６の膨出部４３における上端面は、図１に示す如く、左端部では基体部４２の上下方向の略中間に位置し、該位置から右方に向かうにつれて徐々に上端面の位置が高くなるように傾斜形成されている。これにより、膨出部４３の左方に位置する前記前壁部４４の第１傾斜面部４４ａに形成される前記音放出口４４ｃの約上半分の右側部には、前壁部４４から前方に膨出する膨出部４３は存在しないようになっている。すなわち、音放出口４４ｃにおける約上半分の領域から、右前方でかつ斜め上方に向けて放出される音の音放出経路に重なる部分はなく(図８(ｂ)参照)、音をガラス板(可視部)１４ａの正面中央側に向けて直に放出できるようになっている。これに対し、音放出口４４ｃの約下半分の右側部には、膨出部４３が前方に延出して位置し、音放出口４４ｃの約下半分の領域から右前方でかつ斜め上方に向けて放出される音の音放出経路に該膨出部４３が重なっている(図８(ｂ)参照)。実施例では膨出部４３における音放出口４４ｃの約下半分の領域から放出される音の音放出経路に重なる面に、図８(ｃ)に示す如く、前側に向かうにつれて前記音放出口４４ｃから離間する傾斜案内面４３ａが形成され、該傾斜案内面４３ａで反射した音が、該音放出口４４ｃの約上半分の領域から放出される音とは別方向に向かうように構成される。
【００３６】
前記下球受け皿３６における基体部４２の下縁を構成する下板４２ａの下面には、該下板４２ａの後端から前側に所要長偏倚した位置において下方に突出する第１の規制部４９が、左右方向の略全長に亘って延在している。前記外枠１１に対して中枠１３が閉鎖状態に保持されると共に、該中枠１３に対して下球受け皿３６が閉鎖状態に保持された状態で、図５に示す如く、該基体部４２の下板４２ａにおける前記第１の規制部４９から後方に延在する部分の下面が、前記意匠板１５の上面に上側で重なると共に、第１の規制部４９が意匠板１５の前面に重なって、基体部４２および中枠１３の下面と意匠板１５の上面との間に形成される隙間を該第１の規制部４９で前側から覆うよう構成される。
【００３７】
前記第１の規制部４９は、下板４２ａから下方に突出する第１壁４９ａと、該第１壁４９ａの下端から後方に延在する第２壁４９ｂとから後方に開放する縦断面Ｌ字状に形成される。また第１の規制部４９には、下板４２ａから下方に突出して第１壁４９ａおよび第２壁４９ｂに接続する補強用リブ５０が、左右方向に離間して複数並設されている(図７参照)。
【００３８】
前記中枠１３に対する下球受け皿３６の閉鎖状態では、図５に示す如く、基体部４２における下板４２ａの後端が、中枠１３の下枠体１３ｂの前面に当接し、下球受け皿３６および中枠１３との対向面部と前記隙間とを区画して対向面部側への異物侵入を防止するよう構成される。実施例では、上下の関係で相対的に開閉自在な一方の第１部材が意匠板１５で、他方の第２部材が下球受け皿３６を備えた中枠１３となっており、これら下球受け皿３６と中枠１３とから開閉部材が構成される。
【００３９】
なお、前記下球受け皿３６における基体部４２の上側の後端縁には、上面より上方において前方へ突出する庇状縁部(図示せず)が形成されており、閉鎖状態の下球受け皿３６に対して前記前枠１４を閉鎖状態とした際に、該前枠１４の下端縁において後方に突出するよう形成された縁部(図示せず)が庇状縁部の下側に重なるように位置して、下球受け皿３６と前枠１４との間からの異物侵入を防止し得るよう構成されている。
【００４０】
(打球発射装置について)
前記打球発射装置１９は、図４に示す如く、セットベースとなる金属成形製の取付ベース部材５２と、該取付ベース部材５２の前面側に配置されるロータリーソレノイド５３と、取付ベース部材５２の裏面側に配置される発射レール(図示せず)と、取付ベース部材５２の裏面側に配置されてロータリーソレノイド５３の回転軸に接続する打球杆５４とを基本的に備えて、全体が取付ベース部材５２単位で構成される。そして打球発射装置１９は、前記下枠体１３ｂに取付ベース部材５２を当て合わせて複数のビスを介して着脱可能に固定される。このもとでロータリーソレノイド５３のパルス通電励磁毎に打球杆５４が、打球始端から打球終端の範囲を回動変移して発射レールの打球発射位置のパチンコ球を打出し得るようになっている。
【００４１】
(ハンドルユニットについて)
前記中枠１３の下枠体１３ｂには、前記下球受け皿３６の右側に、図１に示す如く、前記発射制御装置に電気的に接続する前記ハンドルユニット２０が、該下球受け皿３６と並んで配設されており、該ハンドルユニット２０に設けた後述する操作レバー５７を回動操作することにより、発射制御装置が打球発射装置１９を作動制御して、前記打球発射位置にあるパチンコ球を遊技盤１２の遊技領域１２ａに向けて発射するようになっている。また前記球送り装置３１は、打球発射装置１９における打球杆５４を駆動するロータリーソレノイド５３の作動と同期制御されており、操作レバー５７の回動操作に基づいて打球発射装置１９によりパチンコ球が発射されるごとに、前記上球受け皿３０から供給されるパチンコ球を１球ずつ打球発射位置に送り出すようになっている。
【００４２】
前記打球発射装置１９を作動するための前記ハンドルユニット２０は、図９または図１０に示す如く、固定基体をなす本体部５５と、該本体部５５の前部に配設された略半球形の把持キャップ５６との間にリング形の操作レバー(操作部)５７を組付けてユニット化されている。そして前記下枠体１３ｂに設けたハンドル装着部５８に対しては、該装着部５８に設けた筒状支持手段５９内に本体部５５の筒部５５ａを嵌挿してビスを介して着脱可能に固定していることにより、ハンドルユニット２０全体が、右斜め前方に向けて斜状にセットされる。なお、筒部５５ａの外周には、軸方向に延在する凹溝５５ｂが全長に亘って形成されている。
【００４３】
また電気的な操作入力用手段として、本体部５５内にロータリーソレノイド５３に対する可変抵抗器(ボリュームスイッチともいう)およびスイッチ等が組込まれると共に、本体部５５の外周に金属製のタッチ感知環６０が取着されている。そして、これらの部材６０は、本体部５５内に組込み固定された集合コネクタに個々の配線を介して集約的に接続されて、同コネクタに嵌合接続された中継コネクタおよび配線を介して裏側の前記発射制御装置に接続される。ハンドルユニット２０では、操作レバー５７の回動操作量に応じて可変抵抗器がボリューム調整され、これによって前記打球発射装置１９の打球杆５４による打撃力が可変されて、パチンコ球の飛翔距離が変わる。一方スイッチは、タッチ感知環６０に対する遊技者の接触条件が満たされたもとで、操作レバー５７の回動操作状態で検出(ＯＮ)されることで、発射制御装置への発射信号が出力されて打球発射装置１９の打球杆５４が作動する。またスイッチは、本体部５５の外側から操作し得る操作片６１(図１参照)が押圧操作されることで非検出(ＯＦＦ)にされ、発射制御装置への発射信号の出力が遮断されて、操作レバー５７の回動操作状態を保持したまま打球発射装置１９によるパチンコ球の発射を中断し得るよう構成される。
【００４４】
なお、前記操作片６１は、中枠１３(パチンコ機１０)の右端部側に偏倚して配設されるハンドルユニット２０の正面視において本体部５５の左側で、前記操作レバー５７より後方(中枠１３側)に位置し、パチンコ機１０の正面に座って右手でハンドルユニット２０を把持している遊技者の右手親指で該操作片６１を操作し得るよう構成される。
【００４５】
(筒状支持手段について)
前記筒状支持手段５９は、図９または図１０に示す如く、前記ハンドルユニット２０の筒部５５ａを挿通状態で支持する筒状部６２と、筒状部６２における後端部に設けられて径方向外方へ延出する基部６３とを備え、該基部６３がハンドル装着部５８に前側から着脱自在にネジ止め固定される。筒状部６２の内周面には、ハンドルユニット２０の筒部５５ａに形成した前記凹溝５５ｂに対応する凸条６２ａが軸方向に延在するよう形成され、該凹溝５５ｂと凸条６２ａとが嵌合することで、筒状部６２に筒部５５ａが挿入されたハンドルユニット２０の筒状支持手段５９に対する回り止めがなされている。また筒状部６２の内周面には、後端部側において内側に突出して周方向に延在する位置決め片６２ｂが設けられ、該筒状部６２に挿入された筒部５５ａの後端が位置決め片６２ｂに当接して前後方向の位置決めがされるようになっている。
【００４６】
図１０に示す如く、前記筒状部６２の後端部には、基部６３との接続部に、該筒状部６２の外周面より外方に突出する補強部６４が周方向に離間して複数形成される。また筒状部６２の外周には、周方向に離間した複数の位置に、軸方向に沿って延在するリブ６５が夫々突出形成されている。実施例では、図１１に示す如く、４つのリブ６５が周方向に等間隔で形成されている。なお、ハンドル装着部５８には、筒状支持手段５９における筒状部６２の後部開口と対応する位置に通孔５８ａが開設され、ハンドルユニット２０から導出する配線を裏側に引き出し得るようになっている。
【００４７】
前記筒状支持手段５９は、図９に示す如く、前記ハンドル装着部５８に基部６３を固定した状態で、筒状部６２の軸線が前側に向かうにつれて右側(中枠１３の左右方向の中央から離間する側)に向けて傾斜するよう構成され、該筒状部６２に筒部５５ａを挿通したハンドルユニット２０も、前記把持キャップ５６(ユニット２０の軸線)が斜め右方を向く傾斜姿勢に保持される。
【００４８】
(ハンドル飾りについて)
前記ハンドル装着部５８には、前記筒状支持手段５９(ハンドルユニット２０の筒状支持手段５９に挿通されている根元)を囲う被覆部材としてのハンドル飾り６６が配設される。ハンドル飾り６６は、図９〜図１１に示す如く、前記ハンドル装着部５８に固定される基台部６７と、該基台部６７におけるハンドル装着部５８の前面から離間する前壁６８から前方に延在する筒状の筒受部６９とを備え、該筒受部６９に、前記筒状支持手段５９の筒状部６２が挿通される挿通孔６９ａが前後方向に貫通するよう形成されている。基台部６７は、図１１に示す如く、前記前壁６８の外周縁から後方に延出する支持壁７０を備え、前記ハンドル装着部５８側に開口する箱状に形成されている。なお、実施例では、ハンドル飾り６６の前壁６８が、下辺が水平で、左右の辺が鉛直で、該左右の辺上端を接続する２つの上辺が山形に交差する正面視において５角形に形成されている。そして、前壁６８における前記下球受け皿３６側に位置する左辺および上左辺に設けられた支持壁７０には、外方に延出する位置規制片７１が一体に設けられ、前記中枠１３に対して閉鎖状態とされた前記下球受け皿３６の右板４２ｂが位置規制片７１の前側に臨むことで、当該ハンドル飾り６６の前方への変位が規制されるようになっている。更に、位置規制片７１および上右辺に設けられた支持壁７０には、外方に延出するフランジ部７２が夫々一体に設けられ、各フランジ部７２の後面をハンドル装着部５８の前面に当接した状態で、当該ハンドル飾り６６が該ハンドル装着部５８にネジ止め固定される。
【００４９】
前記ハンドル飾り６６をハンドル装着部５８に固定した状態で、図９に示す如く、前記前壁６８は、前記筒受部６９に向けてハンドル装着部５８から前方に離間するように膨出しており、該前壁６８の最前部に設けられた筒受部６９の挿通孔６９ａに、前記筒状支持手段５９の筒状部６２が挿通支持されるよう構成される。筒受部６９の挿通孔６９ａに挿通された筒状部６２の外周面は、少なくとも筒受部６９の前端内面に当接して、径方向への変位が規制された状態で支持される。すなわち、筒状支持手段５９は、ハンドル装着部５８に固定された基部６３から前方に延出する端部側に偏倚した位置が、ハンドル飾り６６の筒状部６２で支持され、該筒状支持手段５９は安定して支持されるようになっている。なお、ハンドル飾り６６における筒受部６９の挿通孔６９ａに筒状支持手段５９の筒状部６２が挿通された状態で、該筒受部６９の前端は、筒状部６２の前端と略同一位置に臨むよう構成される。また、ハンドル飾り６６における前壁６８のハンドルユニット２０より左側の面(中枠１３の左右方向の中央側の面)は、筒受部６９(筒状支持手段５９の筒状部６２)から径方向の外方に離間するにつれて中枠１３側に変位するよう形成される。これにより、ハンドルユニット２０における前記操作片６１と前壁６８との間に、前記操作レバー５７を操作している遊技者が操作片６１を操作する指(親指)で、該操作片６１を支障なく操作し得る操作用の空間を確保し得るようになっている。
【００５０】
前記筒受部６９の内面(挿通孔６９ａの内面)には、前記筒状支持手段５９に形成した各リブ６５と対応する位置の夫々に、該リブ６５が嵌合する溝部６９ｂが軸方向に延在するように形成される。すなわち、筒状支持手段５９およびハンドル飾り６６をハンドル装着部５８に固定した状態では、図１１に示す如く、複数のリブ６５と溝部６９ｂとが嵌合した状態で筒状支持手段５９がハンドル飾り６６で支持されるようになっている。なお、ハンドル飾り６６の筒受部６９は、前記ハンドルユニット２０の筒部５５ａおよび筒状支持手段５９の筒状部６２に共通のネジで固定されている。
【００５１】
前記ハンドル飾り６６における前壁６８の裏面には、図１２に示す如く、前記筒受部６９を囲むように周方向に離間して複数の位置決めボス７３が後方に向けて突設され、ハンドル飾り６６をハンドル装着部５８に固定した状態で、各位置決めボス７３の後端がハンドル装着部５８の前面に当接し、前壁６８の後方への変位を規制するよう構成される。
【００５２】
前記位置規制片７１は、支持壁７０から外方にハンドル装着部５８の前面に沿って延在する座部７１ａと、該座部７１ａの延出端縁から前側に向けて立設された立上がり部７１ｂとから構成される。また位置規制片７１は、前記下球受け皿３６の右端縁をなす基体部４２の右板４２ｂの形状に対応して延在するよう構成されている。そして、位置規制片７１の座部７１ａには、図９に示す如く、前記中枠１３に対して閉鎖状態とされた下球受け皿３６の右板４２ｂの後端全面が当接するようになっている。また、右板４２ｂと立上がり部７１ｂとが左右方向で重なることで、下球受け皿３６とハンドル飾り６６との間からの異物侵入を防止し得るよう構成されている。なお、前壁６８の上右辺に対応する支持壁７０から延出するフランジ部７２の前面には、前記施錠装置２２を前側から覆う施錠カバー７４(図１参照)が前側から当接している。
【００５３】
前記ハンドル飾り６６における下側の支持壁７０の下面には、該支持壁７０の後端から前側に所要長偏倚した位置において下方に突出する第２の規制部(別の規制部)７５が、左右方向の全長に亘って延在している。ハンドル飾り６６は、図１３に示す如く、下側の支持壁７０における前記第２の規制部７５から後方に延在する部分の下面が前記意匠板１５の上面に上側で重なると共に、第２の規制部７５が意匠板１５の前面に重なって、ハンドル飾り６６(支持壁７０)の下面と意匠板１５の上面との間に形成される隙間を前側から覆うよう構成される。また第２の規制部７５は、前記閉鎖状態の下球受け皿３６の第１の規制部４９と左右方向に連なり、両規制部４９,７５の間からの異物侵入を防止するようになっている。
【００５４】
前記第２の規制部７５は、前記第１の規制部４９の構成と同じであって、下側の支持壁７０から下方に突出する第１壁７５ａと、該第１壁７５ａの下端から後方に延在する第２壁７５ｂとから後方に開放する縦断面Ｌ字状に形成される。また第２の規制部７５には、支持壁７０から下方に突出して第１壁７５ａおよび第２壁７５ｂに接続する補強用リブ７５ｃが、図１２に示すように左右方向に離間して複数並設されている。
【００５５】
〔実施例の作用〕
次に、前述した実施例に係るパチンコ機の作用につき説明する。
前記ハンドルユニット２０の操作レバー５７を回動操作することにより、前記球送り装置３１が作動して上球受け皿３０からパチンコ球が１球ずつ発射レールの打球発射位置に送り出されると共に、前記打球発射装置１９が作動して打球発射位置にあるパチンコ球が遊技盤１２の遊技領域１２ａに向けて打ち出される。遊技領域１２ａに打ち出されたパチンコ球が始動入賞装置に入賞すると、前記図柄表示装置２８の図柄が変動開始され、所要の図柄組合わせゲームが展開される。図柄表示装置２８で展開される図柄変動ゲームの結果、図柄表示装置２８に所定の図柄組合わせで図柄が停止表示されたときに大当りが発生する。そして、大当りが発生すると、図柄表示装置２８に表示された図柄組み合わせに応じて、前記遊技盤１２の下方に設けられた特別入賞装置の入賞口が開放され、多数の賞球の獲得が可能となる。
【００５６】
前記図柄表示装置２８で展開される図柄変動ゲームの演出に応じて、前記各種の演出装置が作動制御されて、動作や光による演出により遊技の興趣が高められる。また、前記中枠１３に設けられたスピーカ１８から、図柄変動ゲームの演出に応じた効果音が出力されて、音による演出により遊技の興趣が向上される。
【００５７】
前記スピーカ１８は、前記中枠１３の左下部に設けられた箱状部３２のスピーカ収容室Ｓ２内に、前記蓋体３４の出力孔３５ａを介して出力部１８ａが前面に露出する状態で収容されている。このスピーカ収容室Ｓ２は、前記意匠板１５とボックスカバー１６とにより画成された空間Ｓ１にダクト部１６ａを介して連通している。
【００５８】
すなわち、前記スピーカ１８における出力部１８ａの前面から出力された音は、前記出力孔３５ａを通って前記下球受け皿３６の音放出口４４ｃから直接遊技者側に出力される。また、スピーカ１８における出力部１８ａの背面から出力された音は、前記スピーカ収容部Ｓ２からダクト部１６ａおよび空間Ｓ１の夫々を通って下部放音口１５ｃから遊技者側に放出される。実施例に係るパチンコ機１０では、前記スピーカ１８における出力部１８ａの背面から出力された音の経路が、バスレフ構造に形成されており、スピーカ１８における出力部１８ａの背面から出力された音の低音域が増強されて、下部放音口１５ｃから放出される音響効果の向上を図り得る。
【００５９】
ここで、前記下球受け皿３６は、メンテナンス等のために中枠１３に対して開閉自在に支持され、両者１３,３６の対向面間には組付け誤差等に起因して隙間が生ずるのは避けられず、そのために前記スピーカ１８における出力部１８ａの前面から出力される音が隙間から漏れて、音放出口４４ｃから出力される音量や音質が低下するおそれがある。しかしながら、実施例のパチンコ機１０では、前記下球受け皿３６における音放出口４４ｃの裏側に配設されて該音放出口４４ｃを囲繞するよう配設された通路形成部材４５の後端面に弾性変形可能なシール材４８を配設し、中枠１３に対して下球受け皿３６を閉鎖した状態では、図５および図６に示す如く、スピーカ１８の出力部１８ａが露出する出力孔３５ａの外周縁から突出する前記突出部３５ｂの前面に前記シール材４８が弾力的に当接し、スピーカ１８の出力部１８ａから音放出口４４ｃまでの空間を密閉するよう構成されている。従って、該出力部１８ａから出力された音が音放出口４４ｃ以外から外部に漏れるのを防ぐことができ、音放出口４４ｃから出力される音量や音質の低下を防止し得る。なお、シール材４８としてスポンジを用いることにより、シール材４８を突出部３５ｂに当接した際には該シール材４８が圧縮変形して密閉度が向上し、音漏れを確実に防ぐことができる。
【００６０】
また、前記スピーカ１８は、前記箱状部３２を構成する蓋体３４に裏側から取付けられ、出力部１８ａを該蓋体３４に開設された出力孔３５ａでのみ前側に露出するよう構成してあるから、該出力部１８ａを前後で確実に仕切ることができ、出力部１８ａの背面から出る音の影響によって音放出口４４ｃから放出される音量や音質が低下するのを防止し得る。
【００６１】
前記下球受け皿３６の音放出口４４ｃは、前述したように、左右方向においてパチンコ機１０の左右方向の中央側を向くと共に、上下方向において前記前枠１４のガラス板(可視部)１４ａ側を向く第１傾斜面部４４ａに形成されて、概ねガラス板(可視部)１４ａの正面中央側を向くよう開設されている。また、前記スピーカ１８の出力部１８ａに対向する通路形成部材４５の前壁４６は、図６に示す如く、前記音放出口４４ｃに対応する音放出口４６ｃが開設された右側の第１傾斜面４６ａの左側に、左下側に向けて後方傾斜する第２傾斜面４６ｂが形成されており、出力部１８ａから出力されて第２傾斜面４６ｂに当たった音は、第１傾斜面４６ａ側に向けて斜めに反射される(図８(ｂ),(ｃ)参照)。すなわち、第２傾斜面４６ｂで反射した音は、音放出口４６ｃおよび音放出口４４ｃから、該放出口４６ｃ,４４ｃが向く、パチンコ機１０の正面に座って遊技を行なう平均的な体格の遊技者の頭部側に向けて音が放出される。従って、隣接するパチンコ機から出る効果音や場内放送等が流れている状況であっても、遊技者は自分が遊技しているパチンコ機１０からの効果音を認識することができ、前記図柄変動ゲームの演出にマッチした臨場感や迫力に富む効果音を体感できる。
【００６２】
すなわち、第２傾斜面４６ｂで音を反射することで、前記第１傾斜面４６ａおよび第１傾斜面部４４ａの音放出口４６ｃ,４４ｃから、パチンコ機１０の正面に座った遊技者の頭部側に向けて効率的に音を放出することができる。また、スピーカ１８の出力部１８ａと第２傾斜面４６ｂとは直接対向しているので、出力部１８ａから出力された音が第２傾斜面４６ｂまで至る間に他の部材に反射等して減衰することはなく、出力部１８ａから出力された音を音放出口４６ｃ,４４ｃから効率的に放出し得る。更に、実施例では、パチンコ機１０のガラス板１４ａから外れた左下部に設けたスピーカ１８を、出力部１８ａが正面を向く姿勢で配置したもとで、該出力部１８ａから出力された音をガラス板１４ａの中央正面側に向けて放出し得るようにしたので、スピーカ１８の姿勢を変えて対応する場合に比べて、該スピーカ１８の設置部での前後寸法を小さく抑えることができる。
【００６３】
前記下球受け皿３６における前記音放出口４４ｃの形成位置の右側において前方に大きく膨出している前記膨出部４３は、図５に示す如く、音放出口４４ｃに近接する左端部の上端面位置が、該音放出口４４ｃの上下方向の略中間に位置しており、音放出口４４ｃの約上半分の領域から放出される音は、膨出部４３に遮られることなく遊技者の頭部側(ガラス板１４ａの中央正面側)へ至る。また、音放出口４４ｃの約下半分の領域から放出される音は、図８(ｂ)に示す如く、膨出部４３の前記傾斜案内面４３ａで反射して、音放出口４４ｃの約上半分の領域から放出される音とは異なる方向に向かう。すなわち、音放出口４４ｃから放出される音は、パチンコ機１０の正面に座った遊技者の異なる位置に向かい、１つのスピーカ１８での音響効果を向上し得る。なお、実施例では、前記第２傾斜面部４４ｂにも音放出口４４ｃの一部が開口しており(図８(ａ)参照)、該開口部からの音の放出方向も異なることから、より広範囲に音を放出することができる。
【００６４】
前記ハンドルユニット２０を中枠１３に固定するための前記筒状支持手段５９は、前記筒状部６２が、図９および図１１に示す如く、前記ハンドル飾り６６における筒受部６９の挿通孔６９ａに挿通支持され、かつ筒状部６２のリブ６５が筒受部６９の溝部６９ｂに嵌合支持されることで、該筒状支持手段５９の剛性が高められている。従って、ハンドルユニット２０を把持して中枠１３を開閉する操作を繰り返しても、筒状支持手段５９が変形したり破損するのを防止することができ、ハンドルユニット２０の適正な配設状態を長期に亘って維持できる。すなわち、ハンドルユニット２０の位置や姿勢が変化することで操作性が低下するのを防止し得る。
【００６５】
前記リブ６５および溝部６９ｂは軸方向に所要長さで延在しているから、該リブ６５および溝部６９ｂの嵌合領域が長く、筒状支持手段５９の剛性をより高めることができる。また、リブ６５および溝部６９ｂは周方向に定間隔で複数設けられているので、更に筒状支持手段５９の剛性を向上し得る。なお、前記ハンドルユニット２０が凹溝５５ｂと凸条６２ａとの嵌合によって回り止めされている筒状支持手段５９に加わる回転方向の負荷を、前記リブ６５と溝部６９ｂとが嵌合しているハンドル飾り６６でも支持することができるから、筒状支持手段５９に加わる負荷を軽減して耐久性を向上し得る。また、筒状支持手段５９は、筒状部６２の後端において径方向外方に延在する基部６３でハンドル装着部５８に固定されており、該筒状支持手段５９のハンドル装着部５８に対する取付け強度は高く、ハンドル装着部５８から前方に延出する筒状部６２は強固に支持される。しかも、基部６３と筒状部６２との接続部は、図１０に示す如く、複数の補強部６４により接続強度が高められているから、該接続部での変形や破損等を確実に防止し得る。
【００６６】
前記ハンドル飾り６６では、図９に示す如く、前記前壁６８に設けた筒受部６９で筒状支持手段５９における筒状部６２の前端側を支持している。すなわち、ハンドルユニット２０の筒部５５ａを挿通支持している筒状部６２は、ハンドル装着部５８に固定された基部６３と、該基部６３から前方に離間する前端側との２箇所で支持されているから、該筒状部６２に加わる負荷を分散して支持することができ、該筒状部６２の変形や破損等を防止し、ハンドルユニット２０の適正な配設状態を長期に亘って維持できる。
【００６７】
ここで、前記ハンドル飾り６６の前壁６８は、図９に示す如く、前記筒受部６９で筒状部６２の前端側を支持するべくハンドル装着部５８から筒受部６９に向けて前方に膨出して、前記ハンドルユニット２０における遊技者が把持する操作レバー５７の近くに位置している。しかし、前壁６８におけるハンドルユニット２０より左側の面は、筒受部６９から径方向の外方に離間するにつれて中枠１３側に変位するよう形成されて、ハンドルユニット２０における前記操作片６１と前壁６８との間に操作用の空間を確保している。すなわち、ハンドルユニット２０の操作レバー５７を把持した遊技者が、親指で操作片６１を操作する際にハンドル飾り６６の前壁６８に該親指が接触して操作性が低下したり、操作片６１が操作し難くなるのを防止しつつ、筒状支持手段５９をハンドル飾り６６で安定して支持することができる。
【００６８】
前記ハンドル飾り６６は、前記中枠１３に対する前記下球受け皿３６の閉鎖状態で、図９に示す如く、前記基台部６７の位置規制片７１の座部７１ａに下球受け皿３６の右板４２ｂが前側から当接すると共に、上側のフランジ部７２に前記施錠カバー７４が前側から当接している。すなわち、前記ハンドルユニット２０を把持して中枠１３を外枠１１に対して開放する際には、ハンドルユニット２０を介してハンドル飾り６６に加わる前方への負荷を下球受け皿３６や施錠カバー７４によって支持することができ、該ハンドル飾り６６の変形や破損を防止し得る。また、前壁６８の裏面において筒受部６９を囲むように突設された複数の位置決めボス７３の後端がハンドル装着部５８の前面に当接しているから、ハンドルユニット２０を把持して中枠１３を外枠１１に対して閉成する際に加わるハンドル飾り６６への負荷を、複数の位置決めボス７３を介してハンドル装着部５８で支持することができ、特に前壁６８の変形や破損を防止し得る。
【００６９】
前記外枠１１に対して中枠１３を開閉する構成では、該中枠１３を外枠１１内に収容するために、中枠１３の下枠体１３ｂの下面と前記意匠板１５の上面との間に干渉防止用の隙間を設ける必要があり、該隙間を介して異物を侵入させる等の不正行為が行なわれる可能性が高くなる。しかるに実施例では、前記中枠１３の前面下部に配設した下球受け皿３６の下面に、図５(ｂ)に示す如く、外枠１１に対する中枠１３の閉鎖状態で意匠板１５の前面に重なって隙間を覆う第１の規制部４９を突設したから、異物を侵入させるのを簡単な構成で確実に防止し得る。しかも、中枠１３と意匠板１５との隙間は、第１の規制部４９によって隠されているから、不正者が不正行為を行なうこと自体を思い止まらせることができる。
【００７０】
また実施例では、下球受け皿３６に並んで中枠１３に設けられるハンドルユニット２０の根元部分を覆っているハンドル飾り６６の下面に第２の規制部７５を設け、図１３(ｂ)に示す如く、該第２の規制部７５によっても中枠１３と意匠板１５との隙間を前側から覆うよう構成している。従って、中枠１３の幅方向の全長に亘って意匠板１５との隙間からの不正行為を防止し得ると共に、不正者が不正行為を行なうこと自体を確実に思い止まらせることができる。なお実施例では、下球受け皿３６の閉鎖状態で、図９に示す如く、前記右板４２ｂが、ハンドル飾り６６の位置規制片７１における立上がり部７１ｂの右側に位置して左右方向で重なっているから、両者３６,６６との間に異物を侵入させる不正行為も防止し得る。すなわち、外枠１１に対して中枠１３を開閉自在に支持する構成において、該中枠１３の下部側での充分な不正対策が施されている。
【００７１】
前記中枠１３は、前記外枠１１から取り外された状態で保管される場合があり、この保管時には下枠体１３ｂを床に置いた状態とされる。このとき、下枠体１３ｂの下部に配設された前記下球受け皿３６やハンドル飾り６６の下面に設けた前記規制部４９,７５が床に接することになる。この規制部４９,７５には、複数の補強用リブ５０,７５ｃが形成されているから強度は高く、該規制部４９,７５が変形したり破損するのは防止される。従って、規制部４９,７５が変形したり破損することで、外枠１１に中枠１３を取付けた際に該規制部４９,７５が不正防止機能を果たさなくなるのを防ぐことができる。なお、実施例では、補強のために複数の補強用リブ５０,７５ｃを並設する構成を採用しているから、規制部４９,７５を中実に形成した場合に比べて材料費を低減し得ると共に軽量化を図ることができる。
【００７２】
(変更例)
本願は前述した実施例の構成に限定されるものではなく、その他の構成を適宜に採用することができる。
(1) 実施例では、中枠の左下部にスピーカを配設したが、右下部に配設してもよく、この場合に下球受け皿に形成される音放出口を左斜め上方(ガラス板の正面中央側)を向くように開設すればよい。また、スピーカを前枠の角部に配設し、該スピーカを覆う被覆部材としての装飾部材に、ガラス板の正面中央側を向く音放出口を開設する構成等を採用し得る。
(2) 実施例では、スピーカの出力部から出力された音を音放出口に案内する通路形成壁を下球受け皿とは別部材である通路形成部材で構成したが、下球受け皿に通路形成壁を一体で形成した構成を採用し得る。この場合は、下球受け皿の第２傾斜面部が、スピーカの出力部から出力された音を音放出口に向けて反射する傾斜面となる。
(3) 実施例では、中枠における下球受け皿で前側が覆われる位置にスピーカを配設したが、該スピーカを前枠(開閉部材)で前側が覆われる位置に配設し、中枠に対する前枠の閉鎖状態で該前枠のスピーカと対向する位置に音放出口、通路形成壁およびシール材を設ける構成を採用し得る。
(4) 実施例では、スピーカを、出力部が真っ直ぐ前を向く姿勢で配置し、該出力部から前側に出力した音を、第２傾斜面(傾斜面)で反射することで音放出口からガラス板の正面中央側に向けて放出するよう構成したが、出力部と音放出口とが正対する姿勢でスピーカを配置し、出力部で出力した音が、直接音放出口からガラス板の正面中央側に向けて放出される構成を採用し得る。
(5) 実施例では、筒状支持手段に設けたリブをハンドル飾りに設けた溝部に嵌合したが、筒状支持手段に溝部を設けると共にハンドル飾りにリブを設ける構成を採用し得る。またリブおよび溝部の数や配設間隔は、実施例に限定されるものでなく、任意に設定可能である。
(6) 実施例では、ハンドルユニットを中枠の右下部に配設したが、左下部に配設してもよく、この場合にはハンドル飾りの前壁におけるハンドルユニットより右側の面を径方向の外方に離間するにつれて中枠側に変位するよう形成すればよい。
(7) 実施例では、中枠と一体的に開閉する下球受け皿の下面に規制部を設けたが、例えば前枠の下面に規制部を設け、該前枠を中枠に対して閉鎖状態とした際に、前枠の下面が下球受け皿の上面と上下の関係で重なると共に、両面間の隙間を前枠下面に設けた規制部で前側から覆う構成であってもよい。そして、第１部材および第２部材との関係は、下球受け皿と意匠板との関係、前枠と下球受け皿との関係に限られるものでなく、上下の関係で相対的に開閉自在に支持される関係となっているものであれば、遊技機のその他の構成部品であってもよい。
(8) 遊技機としては、パチンコ機に限られるものではなく、アレンジボール機やパチンコ球を用いたスロットマシン等、その他各種の遊技機であってもよい。
【符号の説明】
【００７３】
１１  外枠(固定枠)
１２  遊技盤
１３  中枠(本体枠)
１３ｂ  下枠体
１５  意匠板
１５ａ  前壁
１５ｃ  下部放音口(放音口)
１６  ボックスカバー
１６ａ  ダクト部
１８  スピーカ
１８ａ  出力部
２０  ハンドルユニット
３３  収容部本体(収容部)
３４  蓋体(区画部材)
３５  取付部
３５ａ  出力孔(開口部)
３５ｂ  突出部
３６  下球受け皿(開閉部材,球受け皿)
４４ｃ  音放出口
４５ａ  通路形成壁
４８  シール材
４９  第１の規制部(規制部)
６６  ハンドル飾り
７５  第２の規制部(別の規制部)
Ｓ１  空間
Ｓ２  スピーカ収容室
【図１】
0005684606.tif 000002
【図２】
0005684606.tif 000003
【図３】
0005684606.tif 000004
【図４】
0005684606.tif 000005
【図５】
0005684606.tif 000006
【図６】
0005684606.tif 000007
【図７】
0005684606.tif 000008
【図８】
0005684606.tif 000009
【図９】
0005684606.tif 000010
【図１０】
0005684606.tif 000011
【図１１】
0005684606.tif 000012
【図１２】
0005684606.tif 000013
【図１３】
0005684606.tif 000014